(57)【要約】【課題】色再現上好ましい色相を有し、耐光性・耐湿性・耐薬品性などの堅牢性が良好であり、溶解性が高く、カラー画像記録材料やカラーフィルタに好ましく用いることができるアゾ色素及びこれを含有する着色組成物、並びに該アゾ色素を用いた感熱転写記録用インクシート、カラートナー、インクジェット用インクおよびカラーフィルタを提供する。【解決手段】下記一般式（１）で表されるアゾ色素。2008007732.tif 000024（式中、Ｒ１１は１価の置換基を表し、Ｒ１２は水素原子又は１価の置換基を表し、Ａｒ１は下記に代表される所定のへテロ環基を表し、Ｘは環形成するのに必要な原子団を表す。）2008007732.tif 000025（式中、Ｒ６１〜Ｒ６３は各々独立に水素原子又は置換基を表す。）【選択図】なし【特許請求の範囲】
【請求項１】
下記一般式（１）で表されるアゾ色素。
【化１】
2008007732.tif 000017
（一般式（１）中、Ｒ１１は１価の置換基を表し、Ｒ１２は水素原子または１価の置換基を表し、Ａｒ１は下記へテロ環基の群（１）から選ばれる基を表し、Ｘは環形成するのに必要な原子団を表す。）
【化２】
2008007732.tif 000018
（ヘテロ環基の群（１）中、Ｒ６１、Ｒ６２、Ｒ６３、Ｒ６４およびＲ６５は各々独立に水素原子または置換基を表す。）
【請求項２】
前記一般式（１）で表されるアゾ色素が、下記一般式（２）または（３）で表されるアゾ色素であることを特徴とする請求項１に記載のアゾ色素。
【化３】
2008007732.tif 000019
（一般式（２）中、Ｒ２１は１価の置換基を表し、Ｒ２２およびＲ２３は各々独立に水素原子または１価の置換基を表し、Ａｒ２は前記へテロ環基の群（１）から選ばれる基を表す。）
【化４】
2008007732.tif 000020
（一般式（３）中、Ｒ３１は１価の置換基を表し、Ｒ３２およびＲ３３は各々独立に水素原子または１価の置換基を表し、Ａｒ３は前記へテロ環基の群（１）から選ばれる基を表す。）
【請求項３】
前記一般式（１）〜（３）中のＡｒ１、Ａｒ２及びＡｒ３が下記ヘテロ環の群（２）から選ばれるヘテロ環基であることを特徴とする請求項１又は２に記載のアゾ色素。
【化５】
2008007732.tif 000021
（ヘテロ環基の群（２）中、Ｒ６１、Ｒ６２およびＲ６３は各々独立に水素原子または置換基を表す。）
【請求項４】
前記アゾ色素が、下記一般式（４）又は（５）で表されるアゾ色素であることを特徴とする請求項１〜３のいずれか１項に記載のアゾ色素。
【化６】
2008007732.tif 000022
（一般式（４）中、Ｒ４１およびＲ４５は各々独立に１価の置換基を表し、Ｒ４２、Ｒ４３およびＲ４４は各々独立に水素原子または１価の置換基を表し、ＥＷＧはＨａｍｍｅｔｔの置換基定数σｐ値が０．２〜１．０の電子求引性基を表す。）
【化７】
2008007732.tif 000023
（一般式（５）中、Ｒ５１およびＲ５５は各々独立に１価の置換基を表し、Ｒ５２、Ｒ５３およびＲ５４は各々独立に水素原子または１価の置換基を表し、ＥＷＧはＨａｍｍｅｔｔの置換基定数σｐ値が０．２〜１．０の電子求引性基を表す。）
【請求項５】
請求項１〜４のいずれか１項に記載のアゾ色素を含有することを特徴とする着色組成物。
【請求項６】
請求項１〜４のいずれか１項に記載のアゾ色素を含有することを特徴とする感熱転写記録用インクシート。
【請求項７】
支持体上にポリマーを含有するインク受容層を有する受像材料上に、請求項６記載の感熱転写記録用インクシートを用いて画像を形成することを特徴とする感熱転写記録方法。
【請求項８】
請求項１〜４のいずれか１項に記載のアゾ色素を含有することを特徴とするカラートナー。
【請求項９】
請求項１〜４のいずれか１項に記載のアゾ色素を含有することを特徴とするインクジェット用インク。
【請求項１０】
請求項１〜４のいずれか１項に記載のアゾ色素を含有することを特徴とするカラーフィルタ。
【発明の詳細な説明】
【技術分野】
【０００１】
本発明は特定の新規なアゾ色素、並びに該アゾ色素を含有する着色組成物、感熱転写記録用インクシート、感熱転写記録方法、カラートナー、インクおよびカラーフィルタに関する。
【背景技術】
【０００２】
近年、画像記録材料としては、特にカラー画像を形成するための材料が主流であり、具体的には、インクジェット方式の記録材料、感熱転写方式の記録材料、電子写真方式の記録材料、転写式ハロゲン化銀感光材料、印刷インク、記録ペン等が盛んに利用されている。また、撮影機器ではＣＣＤなどの撮像素子において、ディスプレイではＬＣＤやＰＤＰにおいて、カラー画像を記録、再現するためにカラーフィルタが使用されている。
【０００３】
カラー画像記録材料やカラーフィルタでは、フルカラー画像を再現あるいは記録するために、いわゆる加法混色法や減法混色法の３原色の着色剤（色素や顔料）が使用されている。しかしながら、好ましい色再現域を実現できる吸収特性を有し、且つさまざまな使用条件に耐えうる堅牢な着色剤がないのが実状であり、改善が強く望まれている。
【０００４】
感熱転写記録には、ベースフィルム（支持体）上に熱溶融性インク層を形成させた感熱転写材料をサーマルヘッドにより加熱し該インクを溶融して受像材料上に記録する方式と、ベースフィルム上に熱移行性色素を含有する色素供与層を形成させた感熱転写材料を熱ヘッドにより加熱して色素を受像材料上に熱拡散転写させる方式とがある。後者の感熱転写方式は、サーマルヘッドに加えるエネルギーを変えることにより色素の転写量を変化させることができるために階調記録が容易であり、高画質のフルカラー記録には特に有利である。しかしこの方式に用いる熱移行性色素には種々の制約があり、必要とされる性能を全て満たすものは極めて少ない。
【０００５】
必要とされる性能としては、例えば、色再現上好ましい分光特性を有すること、転写し易いこと、光や熱に堅牢であること、種々の化学薬品に堅牢であること、合成が容易であること、感熱転写用記録材料を作りやすいことなどがある。
【０００６】
色再現上好ましい分光特性を有し、光や熱に堅牢である色素としては、特許文献１〜２に開示されている色素などが例に挙げられるが、発明が開示された当時の感熱転写記録においては十分な転写感度を有していたが、現在の高速転写型の感熱転写記録においては転写感度が不足しており、この改良が強く望まれている。
また、転写感度に優れる色素として特許文献３〜６に開示されている色素などが例にあげられるが、近年の技術進歩により転写速度の高速化が進み、多くの色素で転写感度が不足している。その中で高速型の転写記録においても転写感度に優れる色素としては、特許文献３に開示されている色素などが例に挙げられるが、光や熱に対する堅牢性が不十分であり、高速転写性と堅牢性の両立が強く望まれている。
一方、溶剤に対する高い溶解性を有する色素は、感熱転写用インクシート作成時において、インクシート作成における色素溶解の作業負荷を軽減し、さらには、高濃度でインクシート液を作成できるため、有機溶媒量が少なくてすみ、環境への負荷を軽減できるため有用であり、溶解性の高い感熱転写用色素の開発が望まれている。
【０００７】
電子写真方式を利用したカラーコピア、カラーレーザープリンタにおいては、一般に樹脂粒子中に着色剤を分散させたトナーが広く用いられている。カラートナーに要求される性能として、好ましい色再現域を実現できる吸収特性、特にオーバーヘッドプロジェクタ（Ｏｖｅｒ  Ｈｅａｄ  Ｐｒｏｊｅｃｔｏｒ；ＯＨＰ）で使用される際に問題となる高い透過性（透明性）、及び使用される環境条件下における各種堅牢性が挙げられる。顔料を着色剤として粒子に分散させたトナーは特許文献７〜９に開示されているが、耐光性には優れるが、不溶性であるため凝集しやすく、透明性の低下や透過色の色相変化が問題となる。一方、色素を着色剤として使用したトナーは特許文献１０〜１２に開示されているが、逆に透明性が高く、色相変化はないものの、耐光性に問題がある。
【０００８】
インクジェット記録方法は、材料費が安価であること、高速記録が可能なこと、記録時の騒音が少ないこと、更にカラー記録が容易であることから、急速に普及し、更に発展しつつある。
インクジェット記録方法には、連続的に液滴を飛翔させるコンティニュアス方式と画像情報信号に応じて液滴を飛翔させるオンデマンド方式が有り、その吐出方式にはピエゾ素子により圧力を加えて液滴を吐出させる方式、熱によりインク中に気泡を発生させて液滴を吐出させる方式、超音波を用いた方式、あるいは静電力により液滴を吸引吐出させる方式がある。また、インクジェット記録用インクとしては、水性インク、油性インク、あるいは固体（溶融型）インクが用いられる。
このようなインクジェット記録用インクに用いられる着色剤に対しては、溶剤に対する溶解性あるいは分散性が良好なこと、高濃度記録が可能であること、色相が良好であること、光、熱、環境中の活性ガス（ＮＯｘ、オゾン等の酸化性ガスの他ＳＯｘなど）に対して堅牢であること、水や薬品に対する堅牢性に優れていること、受像材料に対して定着性が良く滲みにくいこと、インクとしての保存性に優れていること、毒性がないこと、純度が高いこと、更には、安価に入手できることが要求されている。しかしながら、これらの要求を高いレベルで満たす着色剤を捜し求めることは、極めて難しい。特に、良好なイエローの色相を有し、溶解性が高く、光、湿度、熱に対して堅牢であること、なかでも光に対して高堅牢であることが強く望まれている。
【０００９】
カラーフィルタは高い透明性が必要とされるために、色素を用いて着色する染色法と呼ばれる方法が行われてきた。たとえば、被染色性のフォトレジストをパターン露光，現像することによりパターンを形成し、次いでフィルタ色の色素で染色する方法を全フィルタ色について順次繰り返すことにより、カラーフィルタを製造することができる。染色法の他にもポジ型レジストを用いる方法によってもカラーフィルタを製造することができる。これらの方法は色素を使用するために透過率が高く、カラーフィルタの光学特性は優れているが、耐光性や耐熱性等に限界があり、諸耐性に優れかつ透明性の高い着色剤が望まれていた。一方、色素の代わりに耐光性や耐熱性が優れる有機顔料が用いる方法が広く知られているが、顔料を用いたカラーフィルタでは色素のような光学特性を得ることは困難であった。
【００１０】
前記のそれぞれの用途に使用可能な色素には共通して、次のような性質を具備していることが望まれている。すなわち、色再現上好ましい色相を有すること、最適な分光吸収を有すること、耐光性、耐湿性、耐薬品性などの堅牢性が良好であること、溶解性が高いことなどが挙げられる。
【００１１】
一方、ピラゾールの３位にアゾ結合を有するアゾ色素が特許文献１３〜２０に、ピラゾロトリアゾールをカップリング成分とする特定の構造のアゾ色素が特許文献に２１〜２４および非特許文献１に開示されている。
【００１２】
【特許文献１】特開平１−２２５５９２号公報
【特許文献２】特開昭６３−１８９２８９号公報
【特許文献３】特開平３−１０８５８３号公報
【特許文献４】特開昭６３−１８２１９３号公報
【特許文献５】特公平４−４７６３５号公報
【特許文献６】特公平４−２２７１４号公報
【特許文献７】特開昭６２−１５７０５１号公報
【特許文献８】特開昭６２−２５５９５６号公報
【特許文献９】特開平６−１１８７１５号公報
【特許文献１０】特開平３−２７６１６１号公報
【特許文献１１】特開平２−２０７２７４号公報
【特許文献１２】特開平２−２０７２７３号公報
【特許文献１３】特開２００５−１６２８１２号公報
【特許文献１４】特開２００３−４１１６０号公報
【特許文献１５】特開２００３−４１１６１号公報
【特許文献１６】特開２００３−４１１６２号公報
【特許文献１７】特開２００３−４１１６３号公報
【特許文献１８】特開２００３−１２８９５３号公報
【特許文献１９】特開２００２−１９４２５８号公報
【特許文献２０】特開平８−２３１８６７号公報
【特許文献２１】特開昭６３−１１０４５２号公報
【特許文献２２】特開平５−１２４３６４号公報
【特許文献２３】特開２００１−１４７５１０号公報
【特許文献２４】特開平２−２４１９１号公報
【非特許文献１】ＵＫリサーチ・ディスクロージャー（１９７９），１８１巻，２４７頁
【発明の開示】
【発明が解決しようとする課題】
【００１３】
本発明は、色再現上好ましい色相を有し、耐光性・耐湿性・耐薬品性などの堅牢性が良好であり、溶解性が高く、カラー画像記録材料やカラーフィルタに好ましく用いることができるアゾ色素及びこれを含有する着色組成物、並びに該アゾ色素を用いたカラートナー、インクジェット用インクおよびカラーフィルタを提供することを目的とする。
また、本発明は、吸収がシャープな優れた分光特性と高い堅牢性とを有しかつ優れた転写感度の全てを同時に満足する感熱転写記録用インクシートおよびこれを用いた感熱転写記録方法を提供することを目的とする。
【課題を解決するための手段】
【００１４】
本発明者らは、鋭意研究を重ねた結果、以下の構成によって上記課題が達成されることを見出した。
［１］下記一般式（１）で表されるアゾ色素。
【００１５】
【化１】
2008007732.tif 000002
【００１６】
（一般式（１）中、Ｒ１１は１価の置換基を表し、Ｒ１２は水素原子または１価の置換基を表し、Ａｒ１は下記へテロ環基の群（１）から選ばれる基を表し、Ｘは環形成するのに必要な原子団を表す。）
【００１７】
【化２】
2008007732.tif 000003
【００１８】
（ヘテロ環基の群（１）中、Ｒ６１、Ｒ６２、Ｒ６３、Ｒ６４およびＲ６５は各々独立に水素原子または置換基を表す。）
［２］前記一般式（１）で表されるアゾ色素が、下記一般式（２）または（３）で表されるアゾ色素であることを特徴とする［１］項に記載のアゾ色素。
【００１９】
【化３】
2008007732.tif 000004
【００２０】
（一般式（２）中、Ｒ２１は１価の置換基を表し、Ｒ２２およびＲ２３は各々独立に水素原子または１価の置換基を表し、Ａｒ２は前記へテロ環基の群（１）から選ばれる基を表す。）
【００２１】
【化４】
2008007732.tif 000005
【００２２】
（一般式（３）中、Ｒ３１は１価の置換基を表し、Ｒ３２およびＲ３３は各々独立に水素原子または１価の置換基を表し、Ａｒ３は前記へテロ環基の群（１）から選ばれる基を表す。）
［３］前記一般式（１）〜（３）中のＡｒ１、Ａｒ２及びＡｒ３が下記ヘテロ環の群（２）から選ばれるヘテロ環基であることを特徴とする［１］又は［２］項に記載のアゾ色素。
【００２３】
【化５】
2008007732.tif 000006
【００２４】
（ヘテロ環基の群（２）中、Ｒ６１、Ｒ６２およびＲ６３は各々独立に水素原子または置換基を表す。）
［４］前記アゾ色素が、下記一般式（４）又は（５）で表されるアゾ色素であることを特徴とする［１］〜［３］のいずれか１項に記載のアゾ色素。
【００２５】
【化６】
2008007732.tif 000007
【００２６】
（一般式（４）中、Ｒ４１およびＲ４５は各々独立に１価の置換基を表し、Ｒ４２、Ｒ４３およびＲ４４は各々独立に水素原子または１価の置換基を表し、ＥＷＧはＨａｍｍｅｔｔの置換基定数σｐ値が０．２〜１．０の電子求引性基を表す。）
【００２７】
【化７】
2008007732.tif 000008
【００２８】
（一般式（５）中、Ｒ５１およびＲ５５は各々独立に１価の置換基を表し、Ｒ５２、Ｒ５３およびＲ５４は各々独立に水素原子または１価の置換基を表し、ＥＷＧはＨａｍｍｅｔｔの置換基定数σｐ値が０．２〜１．０の電子求引性基を表す。）
［５］［１］〜［４］のいずれか１項に記載のアゾ色素を含有することを特徴とする着色組成物。
［６］［１］〜［４］のいずれか１項に記載のアゾ色素を含有することを特徴とする感熱転写記録用インクシート。
［７］支持体上にポリマーを含有するインク受容層を有する受像材料上に、［６］項に記載の感熱転写記録用インクシートを用いて画像を形成することを特徴とする感熱転写記録方法。
［８］［１］〜［４］のいずれか１項に記載のアゾ色素を含有することを特徴とするカラートナー。
［９］［１］〜［４］のいずれか１項に記載のアゾ色素を含有することを特徴とするインクジェット用インク。
［１０］［１］〜［４］のいずれか１項に記載のアゾ色素を含有することを特徴とするカラーフィルタ。
【発明の効果】
【００２９】
本発明のアゾ色素及びこれを含有する着色組成物は、色再現上好ましい色相を有し、耐光性・耐湿性・耐薬品性などの堅牢性が良好であり、溶解性が高く、カラー画像記録材料やカラーフィルタに好ましく用いることができる。
本発明のアゾ色素を含有する感熱転写用インクシートは、優れた転写感度を有するだけでなく、現在の高速転写型の感熱転写記録において両立することが難しかった、吸収がシャープである優れた分光特性と高い堅牢性とを有する。さらに、溶剤への溶解性に優れ、インクシート作成における作業負荷および環境負荷を軽減することができる。このインクシートを用いた感熱転写記録方法は、印画画像における優れた色再現性、画像保存性および転写感度の全てを満足することができる。
本発明のアゾ色素を含有するカラートナーは、好ましい色再現域を実現できる吸収特性を有し、耐光性に優れる。
本発明のアゾ色素を含有するインクジェット用インクは、良好なイエローの色相を有し、溶解性が高く、耐光性に優れる。
本発明のアゾ色素を含有するカラーフィルタは、透過率が高く、かつ耐光性や耐熱性に優れる。
【発明を実施するための最良の形態】
【００３０】
以下において、本発明のアゾ色素及びこれを含有する着色組成物、並びにこれを用いた感熱転写材料用インクシート、カラートナー、インクジェット用インク及びカラーフィルタについて詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００３１】
まず、本発明の前記一般式（１）〜（５）のいずれかで表されるアゾ色素について詳細に説明する。
【００３２】
前記一般式（１）で表されるアゾ色素は、Ｒ１１に１価の置換基を有する色素である。この特徴を有する色素は、Ｒ１１が水素原子である色素と比較して光堅牢性やオゾン堅牢性に優れる。これは、大河原信・松岡賢・平嶋恒亮・北尾梯次郎共著「機能性色素」１８〜２１頁，１９９２年（講談社サイエンフィティック）や「色材」６４巻〔１〕２９〜３３頁，１９９１年に記載のように光堅牢性やオゾン堅牢性が劣るヒドラゾフォームをＲ１１に１価の置換基を導入することで形成しなくなるためであると考えられる。
この特徴を有するアゾ色素としては特開平２−２４１９１号公報などに記載の色素がこれまでに知られているが、これらのアゾ色素は溶解性が不十分で、感熱転写用インクシート中での経時析出などの問題があり、本用途に使用するには扱いにくいという問題点があった。
これに対し、本発明における一般式（１）〜（５）のいずれかで表されるアゾ色素（特に一般式（４）又は（５）で表されるアゾ色素）は、上記の１価の置換基を有することに加えてジアゾ成分に特徴を有する色素であり、高い溶解性を付与し、感熱転写用インクシート中での経時析出を抑制してこの問題を解決しつつも、高い光堅牢性を示す。さらにこれらの特定の構造を有するアゾ色素はこれまでに全く知られていなかった。これらの色素は、溶解性および光堅牢性・オゾン堅牢性に優れているため感熱転写記録用インクシートの用途に好適であることに加え、他の用途（例えばインク液等）にも好適に使用可能であると考えられる。
【００３３】
一般式（１）において、Ｒ１１は１価の置換基を表し、Ｒ１２は水素原子または１価の置換基を表す。ここで表す置換基に関しては特に制限はないが、代表例として、ハロゲン原子、アルキル基（本明細書では、シクロアルキル基、ビシクロアルキル基を含む飽和脂肪族基を意味する）、アルケニル基（本明細書では、シクロアルケニル基、ビシクロアルケニル基を含む二重結合を有する不飽和脂肪族基を意味する）、アルキニル基、アリール基、ヘテロ環基、シアノ基、アルコキシ基、アリールオキシ基、アシルオキシ基、カルバモイルオキシ基、アルコキシカルボニルオキシ基、アリールオキシカルボニルオキシ基、アミノ基（アルキルアミノ基、アニリノ基およびヘテロ環アミノ基を含む）、アシルアミノ基、アミノカルボニルアミノ基、アルコキシカルボニルアミノ基、アリールオキシカルボニルアミノ基、スルファモイルアミノ基、アルキルもしくはアリールスルホニルアミノ基、アルキルチオ基、スルファモイル基、アルキルもしくはアリールスルフィニル基、アルキルもしくはアリールスルホニル基、アシル基、アリールオキシカルボニル基、アルコキシカルボニル基、カルバモイル基、アリールもしくはヘテロ環アゾ基、イミド基を挙げることができ、それぞれの基はさらに置換基を有していてもよい。
【００３４】
以下にＲ１１及びＲ１２で表される１価の置換基をさらに詳しく説明する。
Ｒ１１及びＲ１２で表されるハロゲン原子としては、フッ素原子、塩素原子、臭素原子、およびヨウ素原子が挙げられる。中でも塩素原子、臭素原子が好ましく、特に塩素原子が好ましい。
Ｒ１１及びＲ１２で表されるアルキル基には、シクロアルキル基、およびビシクロアルキル基が含まれる。アルキル基には、直鎖、分岐の置換もしくは無置換のアルキル基が含まれる。直鎖、分岐の置換もしくは無置換のアルキル基は炭素数１〜３０のアルキル基が好ましい。例としてはメチル基、エチル基、ｎ−プロピル基、イソプロピル基、ｔｅｒｔ−ブチル基、ｎ−オクチル基、エイコシル基、２−クロロエチル基、２−シアノエチル基、および２−エチルヘキシル基を挙げることができる。シクロアルキル基としては置換もしくは無置換のシクロアルキル基が含まれる。置換もしくは無置換のシクロアルキル基は、炭素数３〜３０のシクロアルキル基が好ましい。例としては、シクロヘキシル基、シクロペンチル基、４−ｎ−ドデシルシクロヘキシル基を挙げることができる。ビシクロアルキル基としては、炭素数５〜３０の置換もしくは無置換のビシクロアルキル基、つまり、炭素数５〜３０のビシクロアルカンから水素原子を一個取り去った一価の基を挙げることができる。例として、ビシクロ［１，２，２］ヘプタン−２−イル基、ビシクロ［２，２，２］オクタン−３−イル基を挙げることができる。さらに環構造が多いトリシクロ構造なども包含するものである。なお、以下に説明する置換基の中の「アルキル」（例えばアルキルチオ基の「アルキル」）もこのような概念の「アルキル」を表す。
【００３５】
Ｒ１１及びＲ１２で表されるアルケニル基にはシクロアルケニル基、ビシクロアルケニル基が含まれる。アルケニル基としては直鎖、分岐、環状の置換もしくは無置換のアルケニル基を表す。アルケニル基としては、炭素数２〜３０の置換または無置換のアルケニル基が好ましい。例としてはビニル基、アリル基、プレニル基、ゲラニル基、オレイル基を挙げることができる。シクロアルケニル基としては、炭素数３〜３０の置換もしくは無置換のシクロアルケニル基、つまり、炭素数３〜３０のシクロアルケンの水素原子を一個取り去った一価の基が好ましい。例としては、２−シクロペンテン−１−イル基、２−シクロヘキセン−１−イル基が挙げられる。ビシクロアルケニル基としては、置換もしくは無置換のビシクロアルケニル基が含まれる。ビシクロアルケニル基としては炭素数５〜３０の置換もしくは無置換のビシクロアルケニル基、つまり二重結合を一個持つビシクロアルケンの水素原子を一個取り去った一価の基が好ましい。例として、ビシクロ［２，２，１］ヘプト−２−エン−１−イル基、ビシクロ［２，２，２］オクト−２−エン−４−イル基を挙げることができる。
Ｒ１１及びＲ１２で表されるアルキニル基は、炭素数２〜３０の置換または無置換のアルキニル基が好ましく、例えば、エチニル基、およびプロパルギル基が挙げられる。
Ｒ１１及びＲ１２で表されるアリール基は、炭素数６〜３０の置換もしくは無置換のアリール基が好ましく、例えば、フェニル基、ｐ−トリル基、ナフチル基、ｍ−クロロフェニル基、ｏ−ヘキサデカノイルアミノフェニル基が挙げられる。
【００３６】
Ｒ１１及びＲ１２で表されるヘテロ環基は、置換もしくは無置換の芳香族もしくは非芳香族のヘテロ環化合物から一個の水素原子を取り除いた一価の基であり、それらはさらに縮環していてもよい。これらのヘテロ環基としては、好ましくは５または６員のヘテロ環基であり、また環構成のヘテロ原子としては、酸素原子、硫黄原子、窒素原子が好ましい。さらに好ましくは、炭素数３〜３０の５もしくは６員の芳香族のヘテロ環基である。ヘテロ環基を構成する環を、置換位置を限定しないで例示すると、ピリジン環、ピラジン環、ピリダジン環、ピリミジン環、トリアジン環、キノリン環、イソキノリン環、キナゾリン環、シンノリン環、フタラジン環、キノキサリン環、ピロール環、インドール環、フラン環、ベンゾフラン環、チオフェン環、ベンゾチオフェン環、ピラゾール環、イミダゾール環、ベンズイミダゾール環、トリアゾール環、オキサゾール環、ベンズオキサゾール環、チアゾール環、ベンゾチアゾール環、イソチアゾール環、ベンズイソチアゾール環、チアジアゾール環、イソオキサゾール環、ベンズイソオキサゾール環、ピロリジン環、ピペリジン環、ピペラジン環、イミダゾリジン環、チアゾリン環が挙げられる。
【００３７】
Ｒ１１及びＲ１２で表されるアルコキシ基には、置換もしくは無置換のアルコキシ基が含まれる。置換もしくは無置換のアルコキシ基としては、炭素原子数が１〜３０のアルコキシ基が好ましい。アルコキシ基の例には、メトキシ基、エトキシ基、イソプロポキシ基、ｎ−オクチルオキシ基、メトキシエトキシ基、ヒドロキシエトキシ基および３−カルボキシプロポキシ基などを挙げることができる。
Ｒ１１及びＲ１２で表されるアリールオキシ基は、炭素数６〜３０の置換もしくは無置換のアリールオキシ基が好ましい。アリールオキシ基の例として、フェノキシ基、２−メチルフェノキシ基、４−ｔｅｒｔ−ブチルフェノキシ基、３−ニトロフェノキシ基、２−テトラデカノイルアミノフェノキシ基などを挙げることができる。
【００３８】
Ｒ１１及びＲ１２で表されるアシルオキシ基は、ホルミルオキシ基、炭素数２〜３０の置換もしくは無置換のアルキルカルボニルオキシ基、炭素数６〜３０の置換もしくは無置換のアリールカルボニルオキシ基が好ましい。アシルオキシ基の例には、ホルミルオキシ基、アセチルオキシ基、ピバロイルオキシ基、ステアロイルオキシ基、ベンゾイルオキシ基、ｐ−メトキシフェニルカルボニルオキシ基などを挙げることができる。
Ｒ１１及びＲ１２で表されるカルバモイルオキシ基は、炭素数１〜３０の置換もしくは無置換のカルバモイルオキシ基が好ましい。カルバモイルオキシ基の例には、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基などを挙げることができる。
【００３９】
Ｒ１１及びＲ１２で表されるアルコキシカルボニルオキシ基は、炭素数２〜３０の置換もしくは無置換アルコキシカルボニルオキシ基が好ましい。アルコキシカルボニルオキシ基の例には、メトキシカルボニルオキシ基、エトキシカルボニルオキシ基、ｔｅｒｔ−ブトキシカルボニルオキシ基、ｎ−オクチルカルボニルオキシ基などを挙げることができる。
Ｒ１１及びＲ１２で表されるアリールオキシカルボニルオキシ基は、炭素数７〜３０の置換もしくは無置換のアリールオキシカルボニルオキシ基が好ましい。アリールオキシカルボニルオキシ基の例には、フェノキシカルボニルオキシ基、ｐ−メトキシフェノキシカルボニルオキシ基、ｐ−ｎ−ヘキサデシルオキシフェノキシカルボニルオキシ基などを挙げることができる。
【００４０】
Ｒ１１及びＲ１２で表されるアミノ基は、アルキルアミノ基、アリールアミノ基およびヘテロ環アミノ基を含む。アミノ基は、炭素数１〜３０の置換もしくは無置換のアルキルアミノ基、炭素数６〜３０の置換もしくは無置換のアリールアミノ基が好ましい。アミノ基の例には、例えば、アミノ基、メチルアミノ基、ジメチルアミノ基、アニリノ基、Ｎ−メチル−アニリノ基、ジフェニルアミノ基、ヒドロキシエチルアミノ基、カルボキシエチルアミノ基、スルフォエチルアミノ基、３，５−ジカルボキシアニリノ基、４−キノリルアミノ基などを挙げることができる。
Ｒ１１及びＲ１２で表されるアシルアミノ基は、ホルミルアミノ基、炭素数１〜３０の置換もしくは無置換のアルキルカルボニルアミノ基、炭素数６〜３０の置換もしくは無置換のアリールカルボニルアミノ基が好ましい。アシルアミノ基の例には、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基などを挙げることができる。
Ｒ１１及びＲ１２で表されるアミノカルボニルアミノ基は、炭素数１〜３０の置換もしくは無置換のアミノカルボニルアミノ基が好ましい。アミノカルボニルアミノ基の例には、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基などを挙げることができる。なお、この基における「アミノ」の用語は、前述のアミノ基における「アミノ」と同じ意味である。
【００４１】
Ｒ１１及びＲ１２で表されるアルコキシカルボニルアミノ基は、炭素数２〜３０の置換もしくは無置換アルコキシカルボニルアミノ基が好ましい。アルコキシカルボニルアミノ基の例には、メトキシカルボニルアミノ基、エトキシカルボニルアミノ基、ｔｅｒｔ−ブトキシカルボニルアミノ基、ｎ−オクタデシルオキシカルボニルアミノ基、Ｎ−メチル−メトキシカルボニルアミノ基などを挙げることができる。
Ｒ１１及びＲ１２で表されるアリールオキシカルボニルアミノ基は、炭素数７〜３０の置換もしくは無置換のアリールオキシカルボニルアミノ基が好ましい。アリールオキシカルボニルアミノ基の例には、フェノキシカルボニルアミノ基、ｐ−クロロフェノキシカルボニルアミノ基、ｍ−ｎ−オクチルオキシフェノキシカルボニルアミノ基などを挙げることができる。
【００４２】
Ｒ１１及びＲ１２で表されるスルファモイルアミノ基は、炭素数０〜３０の置換もしくは無置換のスルファモイルアミノ基が好ましい。スルファモイルアミノ基の例には、スルファモイルアミノ基、Ｎ，Ｎ−ジメチルアミノスルホニルアミノ基、Ｎ−ｎ−オクチルアミノスルホニルアミノ基などを挙げることができる。
Ｒ１１及びＲ１２で表されるアルキルもしくはアリールスルホニルアミノ基は、炭素数１〜３０の置換もしくは無置換のアルキルスルホニルアミノ基、炭素数６〜３０の置換もしくは無置換のアリールスルホニルアミノ基が好ましい。アルキルスルホニルアミノ基およびアリールスルホニルアミノ基の例には、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基などを挙げることができる。
【００４３】
Ｒ１１及びＲ１２で表されるアルキルチオ基は、炭素数１〜３０の置換もしくは無置換のアルキルチオ基が好ましい。アルキルチオ基の例には、メチルチオ基、エチルチオ基、ｎ−ヘキサデシルチオ基などを挙げることができる。
Ｒ１１及びＲ１２で表されるスルファモイル基は、炭素数０〜３０の置換もしくは無置換のスルファモイル基が好ましい。スルファモイル基の例には、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基などを挙げることができる。
【００４４】
Ｒ１１及びＲ１２で表されるアルキルもしくはアリールスルフィニル基は、炭素数１〜３０の置換または無置換のアルキルスルフィニル基、６〜３０の置換または無置換のアリールスルフィニル基が好ましい。アルキルもしくはアリールスルフィニル基の例には、例えば、メチルスルフィニル基、エチルスルフィニル基、フェニルスルフィニル基、ｐ−メチルフェニルスルフィニル基などを挙げることができる。
Ｒ１１及びＲ１２で表されるアルキルもしくはアリールスルホニル基は、炭素数１〜３０の置換または無置換のアルキルスルホニル基、６〜３０の置換または無置換のアリールスルホニル基が好ましい。アルキルもしくはアリールスルホニル基の例には、メチルスルホニル基、エチルスルホニル基、フェニルスルホニル基、ｐ−トルエンスルホニル基などを挙げることができる。
【００４５】
Ｒ１１及びＲ１２で表されるアシル基は、ホルミル基、炭素数２〜３０の置換または無置換のアルキルカルボニル基、炭素数７〜３０の置換もしくは無置換のアリールカルボニル基、炭素数４〜３０の置換もしくは無置換の炭素原子でカルボニル基と結合しているヘテロ環カルボニル基が好ましい。アシル基の例には、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基などを挙げることができる。
【００４６】
Ｒ１１及びＲ１２で表されるアルコキシカルボニル基は、炭素数２〜３０の置換もしくは無置換アルコキシカルボニル基が好ましい。アルコキシカルボニル基の例には、メトキシカルボニル基、エトキシカルボニル基、ｔｅｒｔ−ブトキシカルボニル基、ｎ−オクタデシルオキシカルボニル基などを挙げることができる。
Ｒ１１及びＲ１２で表されるアリールオキシカルボニル基は、炭素数７〜３０の置換もしくは無置換のアリールオキシカルボニル基が好ましい。アリールオキシカルボニル基の例には、フェノキシカルボニル基、ｏ−クロロフェノキシカルボニル基、ｍ−ニトロフェノキシカルボニル基、ｐ−ｔｅｒｔ−ブチルフェノキシカルボニル基などを挙げることができる。
【００４７】
Ｒ１１及びＲ１２で表されるカルバモイル基は、炭素数１〜３０の置換もしくは無置換のカルバモイル基が好ましい。カルバモイル基の例には、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基などを挙げることができる。
Ｒ１１及びＲ１２で表されるアリールもしくはヘテロ環アゾ基として、例えば、フェニルアゾ基、４−メトキシフェニルアゾ基、４−ピバロイルアミノフェニルアゾ基、２−ヒドロキシ−４−プロパノイルフェニルアゾ基などを挙げることができる。
Ｒ１１及びＲ１２で表されるイミド基として、例えば、Ｎ−スクシンイミド基、Ｎ−フタルイミド基などを挙げることができる。
【００４８】
一般式（１）において、Ｘは環を形成するのに必要な原子団を表す。ここで環を形成するのに必要な原子団に関しては特に制限はないが、代表例として、−Ｃ（Ｒ１３）＝Ｎ−、−Ｎ＝Ｃ（Ｒ１３）−、−Ｃ（＝Ｏ）−Ｃ（Ｒ１３）＝Ｃ（Ｒ１４）−及び−Ｃ（＝Ｏ）−Ｎ（Ｒ１３）−Ｃ（＝Ｏ）−で表される原子団を挙げることができる。ここで、Ｒ１３及びＲ１４は各々独立に水素原子または置換基を表す。置換基の例としては、Ｒ１１及びＲ１２の置換基として記載した例が挙げられる。
【００４９】
一般式（１）において、Ａｒ１は前記へテロ環基の群（１）から選ばれる基である。ヘテロ環基の群（１）の各基において、Ｒ６１、Ｒ６２、Ｒ６３、Ｒ６４およびＲ６５は各々独立に水素原子または置換基を表す。置換基の例としては、Ｒ１１及びＲ１２の置換基として記載した例が挙げられる。
【００５０】
Ｒ１１は、好ましくは置換または無置換の炭素数１〜４のアルキル基、置換または無置換のアリール基、置換もしくは無置換のヘテロ環基、置換もしくは無置換のアシル基であり、さらに好ましくは無置換の炭素数１〜４のアルキル基である。
Ｒ１２は、好ましくは、水素原子、置換または無置換のアルキル基、置換または無置換のアリール基、置換もしくは無置換のヘテロ環基、置換もしくは無置換のアミノ基、置換もしくは無置換のアルコキシ基、ヒドロキシ基であり、より好ましくは置換または無置換のアルキル基、置換または無置換のアリール基であり、さらに好ましくは置換または無置換のアルキル基であり、特に好ましくは分岐アルキル基である。
Ｘは、好ましくは、−Ｃ（Ｒ１４）＝Ｎ−または−Ｎ＝Ｃ（Ｒ１４）−である。
【００５１】
Ａｒ１は、好ましくは前記へテロ環基の群（２）から選ばれるヘテロ環基である。ヘテロ環基の群（２）の各基において、Ｒ６１、Ｒ６２およびＲ６３はヘテロ環基の群（１）の各基におけるＲ６１、Ｒ６２およびＲ６３と同義であり、好ましい置換基も同様である。
また、前記ヘテロ環基の群（１）及び（２）の各基において、Ｒ６１は、好ましくは水素原子、または置換もしくは無置換のアルキル基、置換もしくは無置換のアリール基、置換もしくは無置換のヘテロ環基である。より好ましくは置換もしくは無置換のアルキル基、置換もしくは無置換のアリール基である。Ｒ６２、Ｒ６３、Ｒ６４およびＲ６５は各々独立に、好ましくは水素原子、または置換もしくは無置換のアルキル基、置換もしくは無置換のアルケニル基、置換または無置換のアリール基、置換または無置換のヘテロ環基、置換または無置換のアシル基、シアノ基、カルバモイル基、アルコキシカルボニル基である。より好ましくは水素原子、または置換もしくは無置換のアルキル基、置換または無置換のアリール基、置換または無置換のヘテロ環基、シアノ基である。
【００５２】
一般式（１）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。具体的に好ましい組み合わせの例は、Ｒ１１が無置換の炭素数１〜６のアルキル基、Ｒ１２が置換もしくは無置換の炭素数１〜６のアルキル基、または置換もしくは無置換のアリール基、Ｘが−Ｃ（Ｒ１４）＝Ｎ−または−Ｎ＝Ｃ（Ｒ１４）−、Ａｒ１が前記ヘテロ環基の群（１）から選ばれる基である。
【００５３】
前記一般式（１）で表される色素は、より好ましくは前記の一般式（２）又は（３）で表されるアゾ色素である。以下に、前記一般式（２）又は（３）で表されるアゾ色素について詳細に説明する。
Ｒ２１及びＲ３１はいずれもＲ１１と同義であり、好ましい例も同様である。
Ｒ２２及びＲ３２はいずれもＲ１２と同義であり、好ましい例も同様である。
Ａｒ２及びＡｒ３はいずれもＡｒ１と同義であり、好ましい例も同様である。
Ｒ２３及びＲ３３は、各々独立に水素原子または１価の置換基を表す。具体的な置換基の例としてはＲ１１及びＲ１２の置換基の例として記載したものが挙げられる。Ｒ２３及びＲ３３は各々独立に、好ましくは水素原子、または置換もしくは無置換のアルキル基、置換または無置換のアルケニル基、置換または無置換のアリール基、置換または無置換のヘテロ環基、アシル基である。より好ましくは水素原子、または置換もしくは無置換のアルキル基、置換または無置換のアリール基、置換または無置換のヘテロ環基である。
【００５４】
一般式（２）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。具体的に好ましい組み合わせの例は、Ｒ２１が無置換の炭素数１〜６のアルキル基、Ｒ２２が置換もしくは無置換の炭素数１〜６のアルキル基、または置換もしくは無置換のアリール基、Ｒ２３が置換もしくは無置換のアルキル基、置換または無置換のアリール基、Ａｒ２がヘテロ環基の群（２）から選ばれるヘテロ環基である。
【００５５】
一般式（３）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。具体的に好ましい組み合わせの例は、Ｒ３１が無置換の炭素数１〜６のアルキル基、Ｒ３２が置換もしくは無置換の炭素数１〜６のアルキル基、または置換もしくは無置換のアリール基、Ｒ３３が置換もしくは無置換のアルキル基、置換または無置換のアリール基、Ａｒ３がヘテロ環基の群（２）から選ばれるヘテロ環基である。
【００５６】
前記一般式（２）で表される色素は、より好ましくは前記一般式（４）で表されるアゾ色素である。また、前記一般式（３）で表される色素は、より好ましくは前記一般式（５）で表される色素である。以下に、前記一般式（４）又は（５）で表されるアゾ色素について詳細に説明する。
【００５７】
ここで、Ｈａｍｍｅｔｔの置換基定数σｐ値について説明する。
Ｈａｍｍｅｔｔ則は、ベンゼン誘導体の反応または平衡に及ぼす置換基の影響を定量的に論ずるために１９３５年Ｌ．Ｐ．Ｈａｍｍｅｔｔにより提唱された経験則であるが、これは今日広く妥当性が認められている。Ｈａｍｍｅｔｔ則で求められた置換基定数にはσｐ値とσｍ値があり、これらの値は多くの一般的な成書に見出すことができるが、例えば、Ｊ．Ａ．Ｄｅａｎ編［Ｌａｎｇｅ’ｓ  Ｈａｎｄｂｏｏｋ  ｏｆ  Ｃｈｅｍｉｓｔｒｙ］第１２版、１９７９年（Ｍｃ  Ｇｒａｗ−Ｈｉｌｌ）や「化学の領域」増刊１２２号９６〜１０３頁，１９７９年（南光堂）に詳しい。なお、本明細書において各置換基をハメットの置換基定数σｐにより限定したり説明したりするが、これは上記の成書で見出せる、文献既知の値がある置換基にのみ限定されるという意味ではなく、その値が文献未知であってもＨａｍｍｅｔｔ則に基づいて測定した場合にその範囲内に包まれるであろう置換基をも含むことを意味する。また、本発明の一般式中には、ベンゼン誘導体ではないものも含まれるが、置換基の電子効果を示す尺度として、置換位置に関係なくσｐ値を使用する。本明細書においてσｐ値をこのような意味で使用する。
【００５８】
一般式（４）又は（５）において、ＥＷＧは、Ｈａｍｍｅｔｔの置換基定数σｐ値が０．２〜１．０の電子求引性基を表す。ＥＷＧはσｐ値が０．３０以上の電子求引性基であるのが好ましく、０．４５以上の電子求引性基であるのがさらに好ましく、０．６０以上の電子求引性基であるのが特に好ましい。σｐの上限は、好ましくは１．０以下である。σｐ値が０．６０以上の電子求引性基の例として、ニトロ基、シアノ基、メタンスルホニル基、トリフルオロメタンスルホニル基、トリフルオロアセチル基、ジメチルアミノスルホニル基、スルファモイル基などが挙げられ、σｐ値が０．４５以上の電子求引性基の例として、アルコキシカルボニル基、アシル基、カルボキシ基が挙げられ、σｐ値が０．３０以上の電子求引性基の例として、スルホ基、カルバモイル基が挙げられる。より好ましくは、シアノ基、カルボキシル基、アルコキシカルボニル基、カルバモイル基であり、さらに好ましくはシアノ基、アルコキシカルボニル基、カルバモイル基であり、最も好ましくはシアノ基、カルバモイル基である。
【００５９】
Ｒ４１又はＲ５１はそれぞれＲ２１又はＲ３１と同義であり、好ましい例も同様である。
Ｒ４２又はＲ５２はそれぞれＲ２２又はＲ３２と同義であり、好ましい例も同様である。
Ｒ４３又はＲ５３はそれぞれＲ２３又はＲ３３と同義であり、好ましい例も同様である。
【００６０】
Ｒ４４又はＲ５４は水素原子または１価の置換基を表す。置換基の例としては、Ｒ１１及びＲ１２の置換基として記載した例が挙げられる。Ｒ４４又はＲ５４は、好ましくは水素原子、置換または無置換のアルキル基、置換または無置換のアリール基、置換もしくは無置換のヘテロ環基、置換もしくは無置換のアミノ基、置換もしくは無置換のアルコキシ基、ヒドロキシ基であり、より好ましくは置換または無置換のアルキル基、置換または無置換のアリール基であり、さらに好ましくは置換または無置換のアルキル基であり、特に好ましくは分岐アルキル基である。
【００６１】
Ｒ４５又はＲ５５は１価の置換基を表す。置換基の例としては、Ｒ１１及びＲ１２の置換基として記載した例が挙げられる。Ｒ４５又はＲ５５は、好ましくは置換または無置換の炭素数１〜４のアルキル基、置換または無置換のアリール基、置換もしくは無置換のヘテロ環基、置換もしくは無置換のアシル基であり、さらに好ましくは無置換の炭素数１〜４のアルキル基である。
【００６２】
一般式（４）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。具体的に好ましい組み合わせの例は、ＥＷＧがカルバモイル基もしくはシアノ基であり、Ｒ４１が無置換の炭素数１〜６のアルキル基、Ｒ４２が置換もしくは無置換の炭素数１〜６のアルキル基、または置換もしくは無置換のアリール基、Ｒ４３が置換もしくは無置換のアルキル基、置換または無置換のアリール基、Ｒ４４が置換もしくは無置換の炭素数１〜６のアルキル基、または置換もしくは無置換のアリール基、Ｒ４５が無置換の炭素数１〜６のアルキル基であり、より好ましい組み合わせの例は、ＥＷＧがシアノ基、Ｒ４１が無置換の炭素数１〜６のアルキル基、Ｒ４２が置換もしくは無置換の炭素数１〜６のアルキル基、または置換もしくは無置換のアリール基、Ｒ４３が置換もしくは無置換のアルキル基、置換または無置換のアリール基、Ｒ４４が置換もしくは無置換の炭素数１〜６のアルキル基、または置換もしくは無置換のアリール基、Ｒ４５が無置換の炭素数１〜６のアルキル基である。
【００６３】
一般式（５）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。具体的に好ましい組み合わせの例は、ＥＷＧがカルバモイル基もしくはシアノ基であり、Ｒ５１が無置換の炭素数１〜６のアルキル基、Ｒ５２が置換もしくは無置換の炭素数１〜６のアルキル基、または置換もしくは無置換のアリール基、Ｒ５３が置換もしくは無置換のアルキル基、置換または無置換のアリール基、Ｒ５４が置換もしくは無置換の炭素数１〜６のアルキル基、または置換もしくは無置換のアリール基、Ｒ５５が無置換の炭素数１〜６のアルキル基であり、より好ましい組み合わせの例は、ＥＷＧがシアノ基、Ｒ５１が無置換の炭素数１〜６のアルキル基、Ｒ５２が置換もしくは無置換の炭素数１〜６のアルキル基、または置換もしくは無置換のアリール基、Ｒ５３が置換もしくは無置換のアルキル基、置換または無置換のアリール基、Ｒ５４が置換もしくは無置換の炭素数１〜６のアルキル基、または置換もしくは無置換のアリール基、Ｒ５５が無置換の炭素数１〜６のアルキル基である。
【００６４】
前記一般式（１）〜（５）のいずれかで表される化合物の分子量は、熱拡散性の観点から、５００以下であることが好ましく、４５０以下であることがより好ましい。
【００６５】
以下に、本発明の一般式（１）〜（５）のいずれかで表されるアゾ色素の具体例を示すが、本発明はこれらに限定されるものではない。なお、以下の具体例においてＰｈはフェニル基（−Ｃ６Ｈ５）を表す。
【００６６】
【化８】
2008007732.tif 000009
【００６７】
【化９】
2008007732.tif 000010
【００６８】
これらの化合物は、Ａｒ１で規定されるヘテロ環アミノ基から得られたジアゾニウム塩と縮合へテロ環化合物とをジアゾカップリングすることで容易に合成できる。
本発明のアゾ色素その最大吸収波長として好ましい範囲は、好ましくは４００〜４８０ｎｍであり、より好ましくは４２０〜４６０ｎｍである。
【００６９】
〔感熱転写記録用インクシート〕
本発明の感熱転写記録用インクシートは、前記一般式（１）〜（５）のいずれかで表されるアゾ色素を含有することを特徴とする。感熱転写記録用インクシートは、一般に支持体上に色素供与層が形成された構造を有しており、その色素供与層中に一般式（１）〜（５）のいずれかで表されるアゾ色素を含有させる。本発明の感熱転写記録用インクシートは、一般式（１）〜（５）のいずれかで表されるアゾ色素をバインダーとともに溶剤中に溶解するか、あるいは溶媒中に微粒子状に分散させることによってインク液を調製し、該インク液を支持体上に塗設し、適宜乾燥して色素供与層を形成することにより製造することができる。
【００７０】
本発明の感熱転写記録用インクシートの支持体には、インクシート用支持体として従来から用いられているものを適宜選択して用いることができる。例えば特開平７−１３７４６６号公報の段落番号００５０に記載される材料を好ましく用いることができる。支持体の厚みは、２〜３０μｍが好ましい。
【００７１】
本発明の感熱転写記録用インクシートの色素供与層に用いることができるバインダー樹脂は、耐熱性が高くて、加熱されたときに色素が受像シートへ移行するのを妨げないものであれば特にその種類は制限されない。例えば、特開平７−１３７４６６号公報の段落番号００４９に記載されるものを好ましい例として挙げることができる。また、色素供与層形成用の溶剤についても、従来公知の溶剤を適宜選択して用いることができ、特開平７−１３７４６６号公報の実施例に記載されるものを好ましく用いることができる。
【００７２】
色素供与層中における一般式（１）〜（５）のいずれかで表されるアゾ色素の含有量は、０．０３〜１．０ｇ／ｍ２が好ましく、０．１〜０．６ｇ／ｍ２がより好ましい。また、色素供与層の厚みは、０．２〜５μｍが好ましく、０．４〜２μｍがより好ましい。
【００７３】
本発明の感熱転写記録用インクシートは、本発明の効果を過度に阻害しない範囲内であれば、色素供与層以外の層を有するものであってもよい。例えば、支持体と色素供与層との間に中間層を有するものであってもよいし、色素供与層とは反対側の支持体面（以下において「背面」ともいう）にバック層を有するものであってもよい。中間層としては、例えば下塗り層や、色素の支持体方向への拡散を防止するための拡散防止層（親水性バリアー層）を挙げることができる。また、バック層としては、例えば耐熱スリップ層を挙げることができ、サーマルヘッドのインクシートへの粘着防止を図ることができる。
【００７４】
本発明をフルカラー画像記録が可能な感熱転写記録材料に適用するには、シアン画像を形成することができる熱拡散性シアン色素を含有するシアンインクシート、マゼンタ画像を形成することができる熱拡散性マゼンタ色素を含有するマゼンタインクシート、イエロー画像を形成することができる熱拡散性イエロー色素を含有するイエローインクシートを支持体上に順次塗設して形成することが好ましい。また、必要に応じて他に黒色画像形成物質を含むインクシートがさらに形成されていてもよい。
【００７５】
シアン画像を形成することができる熱拡散性シアン色素を含有するシアンインクシートとしては、例えば、特開平３−１０３４７７号公報や特開平３−１５０１９４号公報などに記載されたものを好ましく用いることができる。
マゼンタ画像を形成することができる熱拡散性マゼンタ色素を含有するマゼンタインクシートとしては、例えば、特開平５−２８６２６８号公報などに記載されたものを好ましく用いることができる。
【００７６】
〔感熱転写記録〕
本発明の感熱転写記録用インクシートを用いて感熱転写記録を行う際には、サーマルヘッド等の加熱手段と受像シートを組み合わせて用いる。すなわち、画像記録信号に従ってサーマルヘッドから熱エネルギーがインクシートに加えられ、該熱エネルギーが加えられた部分の色素が受像シートに移行し固定されることによって画像記録がなされる。受像シートの構成や使用材料については、例えば特開平７−１３７４６６号公報の段落番号００５６〜００７４に記載されたものを好ましく用いることができる。
【００７７】
〔カラートナー〕
本発明のカラートナーは、前記一般式（１）〜（５）のいずれかで表されるアゾ色素を含有することを特徴とする。本発明の一般式（１）〜（５）のいずれかで表されるアゾ色素を導入するカラートナー用バインダー樹脂としては、トナー用に一般に使用される全てのバインダーが使用できる。例えば、スチレン系樹脂、アクリル系樹脂、スチレン／アクリル系樹脂、ポリエステル樹脂等が挙げられる。トナーに対して流動性向上や帯電制御等を付与する目的で、無機微粉末、有機微粒子を外部添加してもよい。表面をアルキル基含有のカップリング剤等で処理したシリカ微粒子、チタニア微粒子が好ましく用いられる。なお、これらは数平均一次粒子径が１０〜５００ｎｍのものが好ましく、さらにはトナー中に０．１〜２０質量％添加するのが好ましい。
【００７８】
離型剤としては、トナー用に従来使用されている離型剤は全て使用することができる。具体的には、低分子量ポリプロピレン、低分子量ポリエチレン、エチレン−プロピレン共重合体等のオレフィン類、マイクロクリスタリンワックス、カルナウバワックス、サゾールワックス、パラフィンワックス等があげられる。これらの添加量はトナー中に１〜５質量％添加することが好ましい。
【００７９】
荷電制御剤としては、必要に応じて添加してもよいが、発色性の点から無色のものが好ましい。例えば４級アンモニウム塩構造のもの、カリックスアレン構造を有するものなどが挙げられる。
【００８０】
キャリヤとしては、鉄・フェライト等の磁性材料粒子のみで構成される非被覆キャリヤ、磁性材料粒子表面を樹脂等によって被覆した樹脂被覆キャリヤのいずれを使用してもよい。このキャリヤの平均粒径は体積平均粒径で３０〜１５０μｍが好ましい。
【００８１】
本発明のトナーが適用される画像形成方法としては、特に限定されるものではないが、例えば感光体上に繰り返しカラー画像を形成した後に転写を行い、画像を形成する方法や、感光体に形成された画像を逐次中間転写体等へ転写し、カラー画像を中間転写体等に形成した後に紙等の画像形成部材へ転写しカラー画像を形成する方法等があげられる。
【００８２】
〔インクジェット用インク〕
本発明のインクジェット用インクは、前記一般式（１）〜（５）のいずれかで表されるアゾ色素を含有することを特徴とする。本発明のインクは、親油性媒体や水性媒体中に前記一般式（１）〜（５）のいずれかで表されるアゾ色素を溶解及び／又は分散させることによって作製することができ、好ましくは、水性媒体を用いる場合である。本発明のインクは上述したように耐候性に優れた色素を含有するので、インクジェット記録用インクとして好適に用いることができる。必要に応じてその他の添加剤が、本発明の効果を害しない範囲内において含有される。その他の添加剤としては、例えば、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の公知の添加剤が挙げられる。これらの各種添加剤は、色素分散物の調製後分散物に添加するのが一般的であるが、調製時に油相または水相に添加してもよい。
前記乾燥防止剤はインクジェット記録方式に用いるノズルのインク噴射口において該インクジェット用インクが乾燥することによる目詰まりを防止する目的で好適に使用される。
【００８３】
前記乾燥防止剤としては、水より蒸気圧の低い水溶性有機溶剤が好ましい。具体的な例としてはエチレングリコール、プロピレングリコール、ジエチレングリコール、ポリエチレングリコール、チオジグリコール、ジチオジグリコール、２−メチル−１，３−プロパンジオール、１，２，６−ヘキサントリオール、アセチレングリコール誘導体、グリセリン、トリメチロールプロパン等に代表される多価アルコール類、エチレングリコールモノメチル（又はエチル）エーテル、ジエチレングリコールモノメチル（又はエチル）エーテル、トリエチレングリコールモノエチル（又はブチル）エーテル等の多価アルコールの低級アルキルエーテル類、２−ピロリドン、Ｎ−メチル−２−ピロリドン、１，３−ジメチル−２−イミダゾリジノン、Ｎ−エチルモルホリン等の複素環類、スルホラン、ジメチルスルホキシド、３−スルホレン等の含硫黄化合物、ジアセトンアルコール、ジエタノールアミン等の多官能化合物、尿素誘導体が挙げられる。これらのうちグリセリン、ジエチレングリコール等の多価アルコールがより好ましい。また上記の乾燥防止剤は単独で用いても良いし２種以上併用しても良い。これらの乾燥防止剤はインク中に１０〜５０質量％含有することが好ましい。
【００８４】
前記浸透促進剤は、インクジェット用インクを紙により良く浸透させる目的で好適に使用される。前記浸透促進剤としてはエタノール、イソプロパノール、ブタノール、ジ（トリ）エチレングリコールモノブチルエーテル、１，２−ヘキサンジオール等のアルコール類やラウリル硫酸ナトリウム、オレイン酸ナトリウムやノニオン性界面活性剤等を用いることができる。これらはインク中に５〜３０質量％含有すれば通常充分な効果があり、印字の滲み、紙抜け（プリントスルー）を起こさない添加量の範囲で使用するのが好ましい。
【００８５】
前記紫外線吸収剤は、画像の保存性を向上させる目的で使用される。前記紫外線吸収剤としては特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３，２１４，４６３号明細書等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチ・ディスクロージャーＮｏ．２４２３９号に記載された化合物やスチルベン系、ベンズオキサゾール系化合物に代表される紫外線を吸収して蛍光を発する化合物、いわゆる蛍光増白剤も用いることができる。
【００８６】
前記褪色防止剤は、画像の保存性を向上させる目的で使用される。前記褪色防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体としてはニッケル錯体、亜鉛錯体などがある。より具体的にはリサーチ・ディスクロージャーＮｏ．１７６４３の第ＶＩＩのＩないしＪ項、同Ｎｏ．１５１６２、同Ｎｏ．１８７１６の６５０頁左欄、同Ｎｏ．３６５４４の５２７頁、同Ｎｏ．３０７１０５の８７２頁、同Ｎｏ．１５１６２に引用された特許文献に記載された化合物や特開昭６２−２１５２７２号公報の１２７頁〜１３７頁に記載された代表的化合物の一般式及び化合物例に含まれる化合物を使用することができる。
【００８７】
前記防黴剤としてはデヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オンおよびその塩等が挙げられる。これらはインク中に０．０２〜１．００質量％使用するのが好ましい。
【００８８】
前記ｐＨ調整剤としては前記中和剤（有機塩基、無機アルカリ）を用いることができる。前記ｐＨ調整剤はインクジェット用インクの保存安定性を向上させる目的で、該インクジェット用インクがｐＨ６〜１０と夏用に添加するのが好ましく、ｐＨ７〜１０となるように添加するのがより好ましい。
【００８９】
前記表面張力調整剤としてはノニオン、カチオンあるいはアニオン界面活性剤が挙げられる。尚、本発明の着色組成物を含むインクジェット用インクの表面張力は２０〜６０ｍＮ／ｍが好ましい。さらに２５〜４５ｍＮ／ｍが好ましい。また本発明のインクジェット用インクの粘度は３０ｍＰａ・ｓ以下が好ましい。更に２０ｍＰａ・ｓ以下に調整することがより好ましい。
界面活性剤の例としては、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン系界面活性剤や、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等のノニオン系界面活性剤が好ましい。また、アセチレン系ポリオキシエチレンオキシド界面活性剤であるＳＵＲＦＹＮＯＬＳ（商品名、ＡｉｒＰｒｏｄｕｃｔｓ＆Ｃｈｅｍｉｃａｌｓ社製）も好ましく用いられる。また、Ｎ，Ｎ−ジメチル−Ｎ−アルキルアミンオキシドのようなアミンオキシド型の両性界面活性剤等も好ましい。更に、特開昭５９−１５７６３６号公報の第（３７）〜（３８）頁、リサーチ・ディスクロージャーＮｏ．３０８１１９（１９８９年）記載の界面活性剤として挙げたものも使うことができる。
【００９０】
前記消泡剤としては、フッ素系、シリコーン系化合物やＥＤＴＡに代表されるキレート剤等も必要に応じて使用することができる。
【００９１】
前記一般式（１）〜（５）のいずれかで表されるアゾ色素を水性媒体に分散させる場合は、特開平１１−２８６６３７号、特開２００１−２４０７６３号、同２００１−２６２０３９号、同２００１−２４７７８８号の各公報に記載のように化合物と油溶性ポリマーとを含有する着色微粒子を水性媒体に分散したり、特開２００１−２６２０１８号、同２００１−２４０７６３号、同２００１−３３５７３４号、同２００２−８０７７２号の各公報に記載のように高沸点有機溶媒に溶解した一般式（１）〜（５）のいずれかで表されるアゾ色素を水性媒体中に分散することが好ましい。一般式（１）〜（５）のいずれかで表されるアゾ色素を水性媒体に分散させる場合の具体的な方法、使用する油溶性ポリマー、高沸点有機溶剤、添加剤及びそれらの使用量は、前記特許文献に記載されたものを好ましく使用することができる。あるいは、前記ビスアゾ化合物を固体のまま微粒子状態に分散してもよい。分散時には、分散剤や界面活性剤を使用することができる。
【００９２】
分散装置としては、簡単なスターラーやインペラー攪拌方式、インライン攪拌方式、ミル方式（例えば、コロイドミル、ボールミル、サンドミル、アトライター、ロールミル、アジテーターミル等）、超音波方式、高圧乳化分散方式（高圧ホモジナイザー；具体的な市販装置としてはゴーリンホモジナイザー、マイクロフルイダイザー、ＤｅＢＥＥ２０００（ＢＥＥインターナショナル社製、商品名）等）を使用することができる。上記のインクジェット記録用インクの調製方法については、先述の特許文献以外にも特開平５−１４８４３６号、同５−２９５３１２号、同７−９７５４１号、同７−８２５１５号、同７−１１８５８４号、特開平１１−２８６６３７号、特開２００１−２７１００３号の各公報に詳細が記載されていて、本発明のインクジェット記録用インクの調製にも利用できる。
【００９３】
前記水性媒体は、水を主成分とし、所望により、水混和性有機溶剤を添加した混合物を用いることができる。前記水混和性有機溶剤の例には、アルコール（例えば、メタノール、エタノール、ｎ−プロパノール、イソプロパノール、ブタノール、イソブタノール、ｓｅｃ−ブタノール、ｔ−ブタノール、ペンタノール、ヘキサノール、シクロヘキサノール、ベンジルアルコール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、グリコール誘導体（例えば、エチレングリコールモノメチルエーテル、エチレングリコールモノエチルエーテル、エチレングリコールモノブチルエーテル、ジエチレングルコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテート、トリエチレングリコールモノメチルエーテル、トリエチレングリコールモノエチルエーテル、エチレングリコールモノフェニルエーテル）、アミン（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン）及びその他の極性溶媒（例えば、ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン）が含まれる。尚、前記水混和性有機溶剤は、二種類以上を併用してもよい。
【００９４】
〔カラーフィルタ〕
本発明のカラーフィルタは、前記一般式（１）〜（５）のいずれかで表されるアゾ色素を含有することを特徴とする。カラーフィルタの形成方法としては、初めにフォトレジストによりパターンを形成し、次いで染色する方法、或いは特開平４−１６３５５２号、特開平４−１２８７０３号、特開平４−１７５７５３号などの各公報で開示されているように、着色剤を添加したフォトレジストによりパターンを形成する方法がある。本発明の一般式（１）〜（５）のいずれかで表されるアゾ色素をカラーフィルタに導入する場合に用いられる方法としては、これらのいずれの方法を用いてもよいが、好ましい方法としては、特開平４−１７５７５３号公報や特開平６−３５１８２号公報に記載されている方法、即ち、熱硬化性樹脂、キノンジアジド化合物、架橋剤、着色剤及び溶剤を含有してなるポジ型レジスト組成物を基体上に塗布後、マスクを通して露光し、該露光部を現像してポジ型レジストパターンを形成させ、上記ポジ型レジストパターンを全面露光し、次いで露光後のポジ型レジストパターンを硬化させることからなるカラーフィルタの形成方法を挙げることができる。また、常法に従いブラックマトリックスを形成させ、ＲＧＢ原色系あるいはＹ．Ｍ．Ｃ補色系カラーフィルタを得ることができる。
【００９５】
この際使用する熱硬化性樹脂、キノンジアジド化合物、架橋剤、及び溶剤とそれらの使用量については、前記公開特許公報に記載されているものを好ましく使用することができる。
【００９６】
本発明によれば、吸収がシャープな優れた分光特性および高い堅牢性を有し、かつ溶解性に優れた新規なアゾ色素及びこれを含有する着色組成物、該アゾ色素を含有する保存性に優れた感熱転写記録用インクシートおよび感熱転写記録方法が提供される。また、該アゾ色素を含有するカラートナー、インクジェット用インクおよびカラーフィルタが提供される。このため、本発明は高画質のフルカラー記録等に効果的に用いられることが期待され、産業上の利用可能性が高い。
【実施例】
【００９７】
以下に合成例と使用例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００９８】
実施例１
合成例（例示化合物（７）の調製）
【００９９】
【化１０】
2008007732.tif 000011
【０１００】
＜中間体（７ａ）の調製＞
３−アミノ−５−ｔｅｒｔ−ブチル−２Ｈ−ピラゾール−４−カルボニトリル４．９３ｇ（０．０３モル）を酢酸６ｍＬ、プロピオン酸１０ｍＬ、濃塩酸１０ｍＬに溶解し、０℃まで冷却した。これに、亜硝酸ソーダ２．０７ｇ（０．０３モル）／水５ｍＬを内温５度以下で滴下し、内温０〜５℃で１５分撹拌しジアゾ液を調製した。別途、６−ｔｅｒｔ−ブチル−３−メチル−１Ｈ−ピラゾロ［５，１−ｃ］［１，２，４］トリアゾール５．３４ｇ（０．０３モル）をアセトニトリル９０ｍＬに分散し、内温５℃まで冷却し、ここへ先ほど調整したジアゾ液を内温５℃以下で滴下した。その後５℃で１時間、室温で３０分撹拌した後、水１００ｍＬを滴下し、氷冷下１時間撹拌し、析出した結晶を濾取し、中間体（７ａ）の黄色粉末を得た。収量９．１３ｇ、収率８６％。
【０１０１】
＜例示化合物（７）の調製＞
中間体（７ａ）３．５３ｇ（０．０１モル）、炭酸カリウム２．７６ｇ（０．０２ｍｏｌ）ジメチルアセトアミド１５ｍＬを０℃で撹拌し、ヨードメタン４．２３ｇ（０．０３ｍｏｌ）をゆっくりと滴下した。室温で３時間撹拌した後に、水５０ｍＬを添加し、酢酸エチル５０ｍＬで抽出した。抽出液を飽和食塩水で洗浄した後に、抽出液をロータリーエバポレータで濃縮し、得られた残留物をシリカゲルクロマトグラフィ（展開溶媒：酢酸エチル／ヘキサン＝１／４，ｖ／ｖ）で精製し例示化合物（７）の黄色粉末を得た。収量３．０１ｇ、収率８２％、融点１９２℃。例示化合物（７）のλｍａｘ（酢酸エチル溶液）は４４２ｎｍであった。
なお、例示化合物（１）、（５）、（８）、（９）、（１０）、（１３）及び（２３）についても上記合成例に準じた方法で調整することができた。得られた例示化合物（１）、（５）、（８）、（９）、（１０）、（１３）及び（２３）の融点、及び酢酸エチル溶液中（濃度１×１０−６ｍｏｌ／Ｌ、光路長１０ｍｍ）における吸収スペクトルの極大吸収波長を合成例で得た例示化合物（７）とともに下記表１に示す。
また、これ以外の例示化合物に関しても化学的な見地より、上記合成例に準じた方法で調製することができるはずである。
【０１０２】
【表１】
2008007732.tif 000012
【０１０３】
実施例２
使用例１（感熱転写記録用インクシートの作製）
支持体として裏面に熱硬化アクリル樹脂（厚み１μｍ）により耐熱滑性処理が施された厚み６．０μｍのポリエステルフィルム（ルミラー、商品名、（株）東レ製）を使用し、フィルムの表面側に下記の色素供与層用塗料組成物をワイヤーバーコーティングにより乾燥時の厚みが１μｍとなるように塗布形成し、インクシート１を作製した。
【０１０４】
（色素供与層用塗料組成物）
例示化合物（１）                                            ５．５質量部
ポリビニルブチラール樹脂                                    ４．５質量部
（エスレックＢＸ−１、商品名、積水化学工業（株）製）
メチルエチルケトン／トルエン（１／１）                        ９０質量部
【０１０５】
次に、上記例示化合物（１）を下記表２記載の色素にそれぞれ変更したこと以外はインクシート１の作製と同様にして、本発明のインクシート２〜９および比較用インクシート１０〜１２をそれぞれ作製した。この際、色素の溶解性をＡ（容易く溶解する）、Ｂ（溶解する）、Ｃ（溶けにくいが溶解する）の三段階で評価した。また、インクシートの経時における色素の析出を目視で観測し、Ａ（析出なし）、Ｂ（かすかに析出）、Ｃ（明らかに析出）の三段階で評価した。結果を下記表２に示す。
【０１０６】
実施例３
使用例２（感熱転写記録）
＜受像材料の作製＞
支持体として合成紙（ユポＦＰＧ２００、商品名、ユポコーポレーション社製、厚み２００μｍ）を用い、この一方の面に下記組成の白色中間層用塗料組成物、受容層用塗料組成物の順にバーコーターにより塗布を行った。それぞれの塗布量は、乾燥時に白色中間層１．０ｇ／ｍ２、受容層４．０ｇ／ｍ２となる量とし、乾燥は各層１１０℃で３０秒間行った。
【０１０７】
（白色中間層用塗料組成物）
ポリエステル樹脂（バイロン２００、商品名、東洋紡積（株）製）    １０質量部
蛍光増白剤（Ｕｖｉｔｅｘ  ＯＢ、商品名、チバガイギー社製）      １質量部
酸化チタン                                                    ３０質量部
メチルエチルケトン／トルエン（１／１）                        ９０質量部
【０１０８】
（受容層用塗料組成物）
塩化ビニル−酢酸ビニル樹脂                                  １００質量部
（ソルバインＡ、商品名、日信化学工業（株）製）
アミノ変性シリコーン                                            ５質量部
（Ｘ２２−３０５０Ｃ、商品名、信越化学工業（株）製）
エポキシ変性シリコーン                                          ５質量部
（Ｘ２２−３００Ｅ、商品名、信越化学工業（株）製）
メチルエチルケトン／トルエン（＝１／１）                    ４００質量部
ベンゾトリアゾール系紫外線吸収剤                                ５質量部
（Ｔｉｎｕｖｉｎ９００、商品名、チバスペシャリティーケミカルズ社製）
【０１０９】
＜画像記録および評価＞
上記のようにして得られたインクシート１と受像材料とを、色素供与層と受像層とが接するようにして重ね合わせ、色素供与材料の背面側からサーマルヘッドを使用し、サーマルヘッドの出力０．２５Ｗ／ドット、パルス巾０．１５〜１５ミリ秒、ドット密度６ドット／ｍｍの条件で印字を行い、受像材料の受像層にイエロー色の色素を像状に染着させたところ、転写むらのない鮮明な画像記録が得られた。インクシート１をインクシート２〜１１にそれぞれ変更したこと以外は同様にして画像記録を行った。
得られた各画像のベタ濃度（１００％網点濃度）におけるステータスＡ反射濃度を測定し、反射濃度が１．８以上をＡ（非常に良い）、１．６以上１．８未満をＢ（良い）、１．０以上１．６未満をＣ（一応許容できる）の３段階で評価した。
次に、得られた記録済の各熱転写受像材料を７日間、Ｘｅライト（１７０００ルクス）で照射し、色像の光安定性（光堅牢性）を調べた。ステータスＡ反射濃度１．０を示す部分の照射後のステータスＡ反射濃度を測定し、照射前の反射濃度１．０に対する残存率（百分率）でその安定度をＡ（８０％以上１００％以下）、Ｂ（６０％以上８０％未満）、Ｃ（６０％未満）の３段階で評価した。結果を表２に示す。
【０１１０】
【表２】
2008007732.tif 000013
【０１１１】
【化１１】
2008007732.tif 000014
【０１１２】
上記の画像記録試験の結果、一般式（１）で表されるアゾ色素を用いたインクシートから受像層に転写された画像は、色相が鮮やかであり、比較用の色素を用いた場合と比較して溶解性に優れ、インクシート作製における溶解に関する負荷を大幅に軽減できることがわかった。また、インクシート中での経時析出が起きず、インクシートの長期保存性に優れることがわかった。
また、本発明のアゾ色素は、比較用の色素と比較して、光に対する安定性が向上し、優れた画像保存性を示すことがわかり、さらには転写感度も向上し、これまで両立が難しいとされていたこれらの課題を一気に解決することができることがわかった。
【０１１３】
実施例４
使用例３（カラートナーの作製）
本発明のアゾ色素（例示化合物（１））３質量部、トナー用樹脂〔スチレン−アクリル酸エステル共重合体；ハイマーＴＢ−１０００Ｆ（商品名、三洋化成（株）製）〕１００質量部をボールミルで混合粉砕後、１５０℃に加熱して熔融混和を行い、冷却後ハンマーミルを用いて粗粉砕し、次いでエアージェット方式による微粉砕機で微粉砕した。更に分級して１〜２０μｍの粒子を選択し、トナーとした。このトナー１０質量部に対しキャリヤ鉄粉（ＥＦＶ２５０／４００、商品名、日本鉄粉（株）製）９００質量部を均一に混合し現像剤とした。この現像剤を用いて乾式普通紙電子写真複写機〔ＮＰ−５０００、商品名、キャノン（株）製〕で複写を行ったところ、優れた分光特性を有し、トナーとして優れた性質を示すことがわかった。
【０１１４】
実施例５
使用例４（インクジェット用インクの作製）
本発明のアゾ色素（例示化合物（７））５．０ｇ、ジオクチルスルホコハク酸ナトリウム７．０４ｇを、下記高沸点有機溶媒（Ｓ−２）４．２２ｇ、下記高沸点有機溶媒（Ｓ−１１）５．６３ｇ及び酢酸エチル５０ｍｌ中に７０℃にて溶解させた。この溶液中に５００ｍｌの脱イオン水をマグネチックスターラーで撹拌しながら添加し、水中油滴型の粗粒分散物を作製した。
次に、この粗粒分散物を、マイクロフルイダイザー（ＭＩＣＲＯＦＬＵＩＤＥＸ  ＩＮＣ社製）にて６０ＭＰａの圧力で５回通過させることで微粒子化を行い、さらにでき上がった乳化物をロータリーエバポレータにて酢酸エチルの臭気が無くなるまで脱溶媒を行った。
こうして得られた疎水性染料の微細乳化物に、ジエチレングリコール１４０ｇ、グリセリン５０ｇ、ＳＵＲＦＹＮＯＬ４６５（商品名、ＡｉｒＰｒｏｄｕｃｔｓ＆Ｃｈｅｍｉｃａｌｓ社製）７ｇ、脱イオン水９００ｍｌを添加してインクジェット用インクを作製した。
【０１１５】
【化１２】
2008007732.tif 000015
【０１１６】
得られたインク液をインクジェットプリンタ（ＰＭ−Ｇ８００、商品名、セイコーエプソン（株）製）のカートリッジに詰め、同機にてインクジェットペーパー画彩写真仕上げＰｒｏ（商品名、富士写真フイルム（株）製）に画像を記録した。得られた画像の反射スペクトルを図１に示す。図１の結果から明らかなように、得られた画像は優れた分光特性を有し、耐光性に優れ、インクジェット用インクとして優れた性質を示すことがわかった。
【０１１７】
実施例６
使用例５（カラーフィルタの作製）
＜ポジ型レジスト組成物の調製＞
ｍ−クレゾール／ｐ−クレゾール／ホルムアルデヒド（反応モル比＝５／５／７．５）混合物から得たクレゾールノボラック樹脂（ポリスチレン換算質量平均分子量４３００）３．４質量部、下式のフェノール化合物を用いて製造したｏ−ナフトキノンジアジド−５−スルホン酸エステル（平均２個の水酸基がエステル化されている）１．８質量部、ヘキサメトキシメチロール化メラミン０．８質量部、乳酸エチル２０質量部および本発明のアゾ色素（例示化合物（１））１質量部を混合してポジ型レジスト組成物を得た。
【０１１８】
【化１３】
2008007732.tif 000016
【０１１９】
＜カラーフィルタの調製＞
得られたポジ型レジスト組成物をシリコンウエハにスピンコートした後、溶剤を蒸発させた。次いで、マスクを通してシリコンウエハを露光し、キノンジアジド化合物を分解させた。その後１００℃で加熱し、次いでアルカリ現像により露光部を除去して０．８μｍの解像度を有するポジ型着色パターンを得た。これを全面露光後、１５０℃、１５分加熱してイエローの補色系カラーフィルタを得た。露光は、ｉ線露光ステッパーＨＩＴＡＣＨＩ  ＬＤ−５０１０−ｉ（商品名、日立製作所（株）製、ＮＡ＝０．４０）により行った。また、現像液は、ＳＯＰＤ又はＳＯＰＤ−Ｂ（いずれも商品名、住友化学工業（株）製）を用いた。図２に得られたカラーフィルタの透過スペクトルを示す。図２の結果から明らかなように、得られたカラーフィルタは優れた分光特性を有し、耐光性、光の透過性に優れた性質を示し、カラーフィルタとして優れた性質を示すことがわかった。
【図面の簡単な説明】
【０１２０】
【図１】図１は、実施例においてインクジェット記録により得られた画像の反射スペクトルである。
【図２】図２は、実施例で作製したカラーフィルタの透過スペクトルである。
【図１】
2008007732.tif 000026
【図２】
2008007732.tif 000027